(57)【特許請求の範囲】
【請求項１】
導電性を有する金属薄板で形成されており、前後方向に細長く形成され、前部に上方に突出するＦＰＣ接続部が連成され、下方に撓むことができるように形成される電気接触部と、前記電気接触部の後部に連成され、矩形状に形成されている被保持部と、クランク状に形成され、前記被保持部に連成される基板接続部とからなる複数の端子と，
ＦＰＣの左右方向の幅よりも大きな幅を有し、上面側に前記端子を収容する複数の溝が形成される下壁と、該下壁の左右方向の各端部から上方へ所定長さで突出するように形成され、それぞれに、ＦＰＣ保持部材の回転中心に貫通形成される軸受けと、前記ＦＰＣ保持部材の回転を規制する貫通孔部と、前記ＦＰＣ保持部材の係止突起が係合する係止孔が対をなして形成される左壁及び右壁と、前記左壁及び右壁の各後方の端部に連続し、前記下壁の後方の端部から上方へ突出し、前記下壁の溝に連続し、貫通するように形成されるスリットが複数形成され、前記端子の被保持部を圧入保持するようになっている後壁とを備えて構成され、前記複数の端子を前記下壁の複数の溝の各々に収容する合成樹脂製のコネクタハウジングと，
絶縁性を有する合成樹脂で前記コネクタハウジングの前記左壁及び右壁の間に装着される大きさの略直方体状に形成されており、ＦＰＣ接続前において前記端子のＦＰＣ接続部及び被保持部の間に位置するように形成され、断面視略Ｕ字状であって、一定距離を行ったところでＦＰＣの厚さよりも間隔が狭くなるスリットが形成され、前記スリットに前記ＦＰＣの先端を挟持するＦＰＣ挟持部と，
ＦＰＣ接続前において下壁に対面しＦＰＣ接続完了後に後壁に対面し、前記ＦＰＣの端部を挿し込むと該端部が挟持されるＦＰＣ挟持部が形成される第一対向面と、
ＦＰＣ接続前において前方に向きＦＰＣ接続完了後に下壁に対面し、ＦＰＣ接続時に前記ＦＰＣを前記端子の各ＦＰＣ接続部に押圧させる部分であって、前記第一対向面と略Ｌ字状になるように配置される第二対向面と、
ＦＰＣ接続前において上方に向きＦＰＣ接続完了後に前方に向く第三対向面と、
ＦＰＣ接続前において後壁に対面しＦＰＣ接続完了後に上方に向く第四対向面と、
略ピン状に形成され、前記ＦＰＣ保持部材の回転中心となり、前記軸受けに対して回転自在に支持される回転軸と、前記コネクタハウジングの貫通孔部に係入離脱可能な形状に形成されており、前記ＦＰＣの先端が前記ＦＰＣ挟持部に挿し込まれる際に生じる挿入力よりも、前記貫通孔部から離脱する際に生じる力の方が大きくなるように形成されている回転規制突起と、略爪状に形成されており、ＦＰＣ接続時に前記コネクタハウジングの係止孔に係合する係止突起が、それぞれ対をなして形成されている前記左壁に対面する第五対向面と、前記右壁に対面する第六対向面とを有してなり、
前記コネクタハウジングに対して回転自在に取り付けられ、前記コネクタハウジングに挿し込まれたＦＰＣを前記複数の端子の各ＦＰＣ接続部に押圧しつつ保持するＦＰＣ保持部材と，
を備えてなることを特徴とするＦＰＣ用コネクタ。
【発明の詳細な説明】
【０００１  】
【発明の属する技術分野】
本発明は、ＦＰＣ（Flexible Printed Circuit）を接続するためのコネクタ、すなわちＦＰＣ用コネクタに関する。
【０００２  】
【従来の技術】
この種のＦＰＣ用コネクタとしては、実開平６−７１７８号公報（考案の名称：コネクタ、出願人：日本航空電子工業）に開示されたものなどが知られている。
図７において、上記公報に開示されたコネクタ１は、ＦＰＣ２等の導体部分に接触するＦＰＣ接続部３を有する複数の端子４と、その複数の端子４を各々収容するコネクタハウジング５と、コネクタハウジング５に回転自在に支持されＦＰＣ２を端子４の各ＦＰＣ接続部３に押圧するＦＰＣ保持部材６とを備えて構成されている。また、コネクタ１は、コネクタハウジング５に一対の軸受け部７を形成してそこにＦＰＣ保持部材６の回転軸８を回転可能に支持する構造を有している。
【０００３  】
ＦＰＣ保持部材６には、図７に示される如くの形状を有する押入部９が形成されている。その押入部９は、ＦＰＣ保持部材６が回転した後（閉状態）、端子４の各ＦＰＣ接続部３に対向する裏面に形成されており、ＦＰＣ２の先端を押し入れることができるようになっている。すなわち、押入部９には、ＦＰＣ２の先端を挟持する鍔部１０が形成されている。
【０００４  】
上記構成において、ＦＰＣ２は次のような手順でコネクタ１に接続されるようになっている。
先ず、図８に示される如く、ＦＰＣ保持部材６を開状態にして直立させておき、ＦＰＣ２の先端をＦＰＣ保持部材６の上記裏面に突き当てる（突き当て方向を矢線Ｐで示す）。次いで、この状態から、図９に示される如く、回転軸８を中心にしてＦＰＣ保持部材６をコネクタハウジング５側に回転させる。ＦＰＣ保持部材６の回転が完了すると、図１０に示される如く、ＦＰＣ保持部材６の押入部９にＦＰＣ２の先端が完全に挿入されるとともに、端子４の各ＦＰＣ接続部３にＦＰＣ２が押圧された状態となって、ＦＰＣ２のコネクタ１への接続が完了する。尚、引用符号１１は配線基板を示している。
【０００５  】
【発明が解決しようとする課題】
ところで上記従来技術にあっては、ＦＰＣ保持部材６をコネクタハウジング５側に回転させると、その回転開始直後はＦＰＣ２の先端が押入部９に十分に挟持されていないことから、ＦＰＣ２が上記突き当て方向に対して左右にズレてしまうと、ＦＰＣ２の導体部分が正確に端子４の各ＦＰＣ接続部３に接続されなくなる恐れがあった。
【０００６  】
また、ＦＰＣ２の接続完了後、その接続されたＦＰＣ２に反突き当て方向（矢線Ｐ方向の逆）の外力が加えられると、押入部９に先端が挿し込まれ各ＦＰＣ接続部３に押圧された状態のＦＰＣ２がコネクタ１から抜け出してしまう恐れもあった。
【０００７  】
本発明は、上述した事情に鑑みてなされるもので、ＦＰＣ接続時の電気的な接触信頼性を確保するとともに、これを接続完了後においても維持することができるように構成したＦＰＣ用コネクタを提供することを課題とする。
【０００８】
【課題を解決するための手段】
上記課題を解決するためなされた請求項１記載の本発明の電気接続箱は、導電性を有する金属薄板で形成されており、前後方向に細長く形成され、前部に上方に突出するＦＰＣ接続部が連成され、下方に撓むことができるように形成される電気接触部と、前記電気接触部の後部に連成され、矩形状に形成されている被保持部と、クランク状に形成され、前記被保持部に連成されれる基板接続部とからなる複数の端子と，
ＦＰＣの左右方向の幅よりも大きな幅を有し、上面側に前記端子を収容する複数の溝が形成される下壁と、該下壁の左右方向の各端部から上方へ所定長さで突出するように形成され、それぞれに、ＦＰＣ保持部材の回転中心に貫通形成される軸受けと、前記ＦＰＣ保持部材の回転を規制する貫通孔部と、前記ＦＰＣ保持部材の係止突起が係合する係止孔が対をなして形成される左壁及び右壁と、前記左壁及び右壁の各後方の端部に連続し、前記下壁の後方の端部から上方へ突出し、前記下壁の溝に連続し、貫通するように形成されるスリットが複数形成され、前記端子の被保持部を圧入保持するようになっている後壁とを備えて構成され、前記複数の端子を前記下壁の複数の溝の各々に収容する合成樹脂製のコネクタハウジングと，
絶縁性を有する合成樹脂で前記コネクタハウジングの前記左壁及び右壁の間に装着される大きさの略直方体状に形成されており、ＦＰＣ接続前において前記端子のＦＰＣ接続部及び被保持部の間に位置するように形成され、断面視略Ｕ字状であって、一定距離を行ったところでＦＰＣの厚さよりも間隔が狭くなるスリットが形成され、前記スリットに前記ＦＰＣの先端を挟持するＦＰＣ挟持部と，
ＦＰＣ接続前において下壁に対面しＦＰＣ接続完了後に後壁に対面し、前記ＦＰＣの端部を挿し込むと該端部が挟持されるＦＰＣ挟持部が形成される第一対向面と、
ＦＰＣ接続前において前方に向きＦＰＣ接続完了後に下壁に対面し、ＦＰＣ接続時に前記ＦＰＣを前記端子の各ＦＰＣ接続部に押圧させる部分であって、前記第一対向面と略Ｌ字状になるように配置される第二対向面と、
ＦＰＣ接続前において上方に向きＦＰＣ接続完了後に前方に向く第三対向面と、
ＦＰＣ接続前において後壁に対面しＦＰＣ接続完了後に上方に向く第四対向面と、
略ピン状に形成され、前記ＦＰＣ保持部材の回転中心となり、前記軸受けに対して回転自在に支持される回転軸と、前記コネクタハウジングの貫通孔部に係入離脱可能な形状に形成されており、前記ＦＰＣの先端が前記ＦＰＣ挟持部に挿し込まれる際に生じる挿入力よりも、前記貫通孔部から離脱する際に生じる力の方が大きくなるように形成されている回転規制突起と、略爪状に形成されており、ＦＰＣ接続時に前記コネクタハウジングの係止孔に係合する係止突起が、それぞれ対をなして形成されている前記左壁に対面する第五対向面と、前記右壁に対面する第六対向面とを有してなり、
前記コネクタハウジングに対して回転自在に取り付けられ、前記コネクタハウジングに挿し込まれたＦＰＣを前記複数の端子の各ＦＰＣ接続部に押圧しつつ保持するＦＰＣ保持部材と，
を備えてなることを特徴としている。
【００１０  】
請求項１に記載された本発明によれば、ＦＰＣ用コネクタは次のように作用する。
先ず、ＦＰＣをコネクタハウジングに挿し込むと、ＦＰＣは複数の端子の各ＦＰＣ接続部に対向する位置に存するＦＰＣ保持部材の第一対向部に形成されたＦＰＣ挟持部にその先端が挿し込まれ挟持される。これにより、以降、ＦＰＣはそのＦＰＣの挿入方向に対し左右にズレることはない。
次に、このような状態からＦＰＣ保持部材をコネクタハウジングに向けて回転させると、ＦＰＣはコネクタハウジング内に引き込まれＦＰＣ保持部材の第二対向部によって複数の端子の各ＦＰＣ接続部に押圧される。これにより、ＦＰＣの接続が完了する。この時、ＦＰＣ用コネクタ内のＦＰＣの状態は、第一対向部及び第二対向部によって略Ｌ字状に曲げられた状態になり、ＦＰＣの挿入方向の線上には、ＦＰＣの先端を挟持させた部分が位置することはない。
【００１２  】
【発明の実施の形態】
以下、図面を参照して本発明の実施の形態を説明する。
図１は本発明のＦＰＣ用コネクタの一実施の形態を示す斜視図である。また、図２は図１のＦＰＣ用コネクタの分解斜視図、図３は図１のＡ−Ａ線断面図である。
【００１３  】
図１ないし図３において、引用符号２１はＦＰＣ（Flexible Printed Circuit）２を接続するためのＦＰＣ用コネクタを示している。そのＦＰＣ用コネクタ２１は、配線基板１１上に設けられており、複数の端子２２とコネクタハウジング２３とＦＰＣ保持部材２４とを備えて構成されている。
【００１４  】
先ず、上記各構成部材について詳細に説明し、次いで、ＦＰＣ用コネクタ２１の作用を説明する。尚、ＦＰＣ２は既知のものを使用し、その説明については省略する。また、本明細書において、矢線Ｑ方向をＦＰＣ２の挿入方向、矢線Ｒ方向をＦＰＣ２の反挿入方向、矢線Ｓ方向を前後方向（ＦＰＣ２側が前）、矢線Ｔ方向を左右方向、及び矢線Ｕ方向を上下方向（配線基板１１側が下）と定義する（図１参照。また、図１の配置を基準とする）。
【００１５  】
上記端子２２は、導電性を有する金属薄板をプレス加工することにより形成されており、弾性を有する電気接触部２５と、電気接触部２５の後部に連成される被保持部２６と、被保持部２６に連成され配線基板１１の図示しない回路に例えば半田付けされる基板接続部２７とを備えて構成されている。
【００１６  】
電気接触部２５は、前後方向に細長く形成されている。また、電気接触部２５の前部には、上方に突出するＦＰＣ接続部２８が連成されている。さらに、電気接触部２５は、下方に撓む（弾性変形）ことができるように形成されている。被保持部２６は、コネクタハウジング２３の後述する後壁３２に圧入保持されるようになっており、矩形状に形成されている。基板接続部２７は、クランク状に形成されている。
【００１７  】
上記コネクタハウジング２３は、絶縁性を有する合成樹脂で成形されており、ＦＰＣ２の幅（左右方向の幅）よりも大きな幅を有する下壁２９と、下壁２９の左右方向の各端部から上方へ所定長さで突出するように形成される左壁３０及び右壁３１と、下壁２９の後方の端部から上方へ上記所定長さで突出し、左壁３０及び右壁３１の各後方の端部に連続する後壁３２とを備えて構成されている。言い換えれば、コネクタハウジング２３は、合成樹脂製であって前方及び上方が解放された箱状に形成されている。
【００１８  】
下壁２９には、傾斜部３３と、端子２２を収容する複数の溝３４とが形成されている。傾斜部３３は、下壁２９の前部に形成されており、ＦＰＣ２を所定方向に案内する傾斜面を有している。また、傾斜部３３は、引用符号３５で示される端子ストッパを有している。端子ストッパ３５は、上記傾斜面に連続するように形成されている。尚、傾斜部３３を形成することでＦＰＣ２の接続に係る作業性が向上するのは言うまでもない。溝３４は、下壁２９の上面側であって、傾斜部３３及び後壁３２間となる前後方向に形成されている。また、溝３４は、端子２２の厚みに応じて形成されている（但し、電気接触部２５の弾性変形を阻害してはならないものとする）。
【００１９  】
後壁３２には、上記溝３４に連続するスリット３６が複数形成されている。スリット３６は、後壁３２を貫通するように形成されており、端子２２の被保持部２６が圧入保持されるようになっている。
【００２０  】
左壁３０及び右壁３１には、それぞれ軸受け３７、貫通孔部（又は凹部であってもよい）３８、及び係止孔３９が対をなして形成されている。軸受け３７は、ＦＰＣ保持部材２４の回転中心であって、左壁３０及び右壁３１の各中央付近に円形状に貫通形成されている。貫通孔部３８は、軸受け３７の近傍に形成されており、ＦＰＣ保持部材２４の回転を規制するようになっている。尚、貫通孔部３８は、軸受け３７よりも十分に小さく形成されている。係止孔３９は、左壁３０及び右壁３１の前部に矩形状に貫通形成されている。係止孔３９には、ＦＰＣ保持部材２４の後述する係止突起４９が係合するようになっている。
【００２１  】
上記ＦＰＣ保持部材２４は、コネクタハウジング２３と同様に、絶縁性を有する合成樹脂で成形されており、左壁３０及び右壁３１の間に装着される大きさの略直方体状に形成されている。また、ＦＰＣ保持部材２４は、コネクタハウジング２３に対して回転自在であって、ＦＰＣ接続前において下壁２９に対面しＦＰＣ接続完了後は後壁３２に対面する第一対向面４０（特許請求の範囲に記載した第一対向部に相当）と、ＦＰＣ接続前において前方に向きＦＰＣ接続完了後は下壁２９に対面する第二対向面４１（特許請求の範囲に記載した第二対向部に相当）と、ＦＰＣ接続前において上方に向きＦＰＣ接続完了後は前方に向く第三対向面４２と、ＦＰＣ接続前において後壁３２に対面しＦＰＣ接続完了後は上方に向く第四対向面（不図示）と、左壁３０に対面する第五対向面（不図示）と、右壁３１に対面する第六対向面４３とを有している。
【００２２  】
第一対向面４０には、ＦＰＣ２の先端を挟持するＦＰＣ挟持部４４が形成されている。そのＦＰＣ挟持部４４は、断面視略Ｕ字状であって、一定距離を行ったところでＦＰＣ２の厚さよりも間隔が狭くなるように形成されている。また、ＦＰＣ挟持部４４は、ＦＰＣ接続前において端子２２のＦＰＣ接続部２８及び被保持部２６の間に位置するように形成されている。さらに、ＦＰＣ挟持部４４は、ＦＰＣ接続前においてＦＰＣ挟持部４４のスリット（ＦＰＣ２が挿し込まれる部分）の位置がＦＰＣ接続部２８の頂部の位置に略一致するように形成されている。
【００２３  】
第二対向面４１は、ＦＰＣ接続時にＦＰＣ２を端子２２の各ＦＰＣ接続部２８に押圧させる部分であって、本形態においては、曲面４５を挟んで第一対向面４０と略Ｌ字状になるように配置されている。ここで略Ｌ字状とは、第一対向面４０と第二対向面４１とが直角又はほぼ直角に連続する場合のＬ字と、上述のように間に曲面４５（或いはテーパ面も考えられる）を介在させた場合のＬ字の両方を含むものとする。
【００２４  】
第四対向面（不図示）には、ＦＰＣ接続の際に指をかける押圧用凸部４６が形成されている。その押圧用凸部４６は、第三対向面４２側に形成されている。
【００２５  】
第五対向面（不図示）及び第六対向面４３には、それぞれ回転軸４７、回転規制突起４８（特許請求の範囲に記載した突起に相当）、及び係止突起４９が対をなして形成されている。回転軸４７は、略ピン状に形成されており、ＦＰＣ保持部材２４の回転中心になっている。また、回転軸４７は、上記軸受け３７に対して回転自在に支持されるようになっている。回転規制突起４８は、貫通孔部３８に係入離脱可能な形状に形成されている。また、回転規制突起４８は、ＦＰＣ２の先端が上記ＦＰＣ挟持部４６に挿し込まれる際に生じる挿入力よりも、回転規制突起４８が貫通孔部３８からの離脱する際に生じる力の方が大きくなるように形成されている。係止突起４９は、略爪状に形成されており、ＦＰＣ接続時に係止孔３９に係合するようになっている。
【００２６  】
上記構成において、ＦＰＣ２は次のような手順でＦＰＣ用コネクタ２１に接続されるようになっている。尚、端子２２及びＦＰＣ保持部材２４はコネクタハウジング２３の所定位置に組み付けられているものとする。
【００２７  】
先ず、図１又は図３に示される如く、ＦＰＣ保持部材２４を開状態にして直立させるとともに、回転規制突起４８を貫通孔部３８に係入させＦＰＣ保持部材２４の回転を規制する。この時、第一対向面４０は、端子２２の各ＦＰＣ接続部２８に対向するようになる（本形態のように曲面４５を設けた場合には、第一対向面４０側の曲面４５が端子２２の各ＦＰＣ接続部２８に対向する。尚、広い意味で言えば、第一対向面４０が端子２２の電気接触部２５に対向する）。また、ＦＰＣ挟持部４４の上記スリットの位置は、ＦＰＣ接続部２８の頂部の位置に略一致するようになる。
【００２８  】
次に、図４に示される如く、ＦＰＣ２を上記挿入方向に沿ってコネクタハウジング２３に挿入する。ＦＰＣ２の先端は、傾斜部３３、端子ストッパ３５、及びＦＰＣ接続部２８の上を通過し、ＦＰＣ挟持部４４の上記スリット内に挿し込まれる。ＦＰＣ２の先端は、上記スリット内の一定距離を行ったところで挟持される。尚、ＦＰＣ保持部材２４の回転が規制されていることから、ＦＰＣ２は安定した状態で挿入される。また、先端を挟持された後のＦＰＣ２は、その後の作業において、挿入方向に対し左右のズレが防止される。
【００２９  】
続いて、図５に示される如く、ＦＰＣ保持部材２４の回転規制を解除して矢線Ｖ方向にＦＰＣ保持部材２４を回転させる。ＦＰＣ保持部材２４の回転は、第一対向面４０が後壁３２に対面する方向に回転することから、先端を挟持された後のＦＰＣ２は、コネクタハウジング２３内に引き込まれる。この時、ＦＰＣ２は、第一対向面４０及び曲面４５に密着するように引き込まれる。そして、このような状態から更にＦＰＣ保持部材２４を矢線Ｖ方向に回転させると、第二対向面４１がＦＰＣ２を間に挟んでＦＰＣ接続部２８に対向する。
【００３０  】
続いて、図６に示される如く、係止突起４９（図２参照）を係止孔３９（図２参照）に係合させ、また、第二対向面４１によってＦＰＣ２をＦＰＣ接続部２８に押圧させてＦＰＣ２の接続を完了させる。この時、ＦＰＣ２は、ＦＰＣ用コネクタ２１内で第一対向部４０及び第二対向部４１によって略Ｌ字状に曲げられた状態になる。また、ＦＰＣ２の挿入方向の線上にＦＰＣ２の先端を挟持させた部分が位置していないことになる。さらに、第二対向部４１とこれに対向するＦＰＣ接続部２８との間のＦＰＣ２に電気接触部２５の弾性変形による復元力が掛かることになる。さらにまた、第二対向部４１と端子ストッパ３５との間にＦＰＣ２が挟持されることになる。
【００３１  】
以上、図１ないし図６までを参照しながら説明してきたように、ＦＰＣ保持部材２４を回転させる前にＦＰＣ２の先端をＦＰＣ挟持部４４に挟持させていることから、以降の作業において、ＦＰＣ２がそのＦＰＣ２の挿入方向に対して左右にズレてしまうことはない。従って、ＦＰＣ接続時の電気的な接触信頼性を確保することができる。
【００３２  】
また、ＦＰＣ２の接続が完了すると、ＦＰＣ２はＦＰＣ用コネクタ２１内において略Ｌ字状に曲げられた状態になる（ＦＰＣ２の挿入方向の線上にＦＰＣ２の先端を挟持させた部分が従来例のように位置しない）。これにより、ＦＰＣ２に反挿入方向の外力が加わっても上記の曲げられた部分が引き抜きの抵抗になる。従って、ＦＰＣ２の接続状態が反挿入方向の外力に対し従来よりも強くなり、ＦＰＣ接続完了後の電気的な接触信頼性も確保することができる。
【００３３  】
その他、本発明は本発明の主旨を変えない範囲で種々変更実施可能なことは勿論である。
【００３４  】
すなわち、本形態においてはＦＰＣを対象にしたコネクタの例を挙げたが、その技術をＦＦＣ（Flexible Flat Cable ）用のコネクタに応用することができるものとする。
【００３５  】
また、本形態においては、貫通孔部３８をコネクタハウジング２３に、回転規制突起４８をＦＰＣ保持部材２４にそれぞれ形成したが、これとは逆に形成してもよいものとする。
【００３６  】
【発明の効果】
以上説明したように、請求項１に記載された本発明によれば、ＦＰＣ保持部材を回転させる前にＦＰＣの先端をＦＰＣ挟持部に挟持させることから、以降の作業において、ＦＰＣがそのＦＰＣの挿入方向に対して左右にズレてしまうことはない。従って、ＦＰＣ接続時の電気的な接触信頼性を確保することができる。
また、ＦＰＣの接続が完了すると、ＦＰＣはＦＰＣ用コネクタ内において略Ｌ字状に曲げられた状態になり、ＦＰＣの挿入方向の線上にＦＰＣの先端を挟持させた部分が位置することはないことから、ＦＰＣの接続状態は反挿入方向の外力に対して強くなる。従って、ＦＰＣ接続完了後の電気的な接触信頼性も確保することができる。
【図面の簡単な説明】
【図１】本発明によるＦＰＣ用コネクタの一実施の形態を示す斜視図である。
【図２】図１のＦＰＣ用コネクタの分解斜視図である。
【図３】図１のＡ−Ａ線断面図である。
【図４】図１のＦＰＣ用コネクタにＦＰＣを接続する手順を説明するための図であって、ＦＰＣの先端がＦＰＣ保持部材のＦＰＣ挟持部に挿し込まれた状態を示す断面図である。
【図５】図１のＦＰＣ用コネクタにＦＰＣを接続する手順を説明するための図であって、図４の状態からＦＰＣ保持部材を回転させた状態を示す断面図である。
【図６】図１のＦＰＣ用コネクタにＦＰＣを接続する手順を説明するための図であって、図５の状態からＦＰＣの接続が完了した状態を示す断面図である。
【図７】従来例のコネクタの部分破断面斜視図である。
【図８】図７のコネクタにＦＰＣを接続する手順を説明するための図であって、ＦＰＣの先端をＦＰＣ保持部材の裏面に突き当てた状態を示す側面断面図である。
【図９】図７のコネクタにＦＰＣを接続する手順を説明するための図であって、図８の状態からＦＰＣ保持部材を回転させた状態を示す側面断面図である。
【図１０】図７のコネクタにＦＰＣを接続する手順を説明するための図であって、図９の状態からＦＰＣのコネクタへの接続が完了した状態を示す側面断面図である。
【符号の説明】
２  ＦＰＣ
２１  ＦＰＣ用コネクタ
２２  端子
２３  コネクタハウジング
２４  ＦＰＣ保持部材
２５  電気接触部
２６  被保持部
２７  基板接続部
２８  ＦＰＣ接続部
２９  下壁
３０  左壁
３１  右壁
３２  後壁
３３  傾斜部
３４  溝
３５  端子ストッパ
３６  スリット
３７  軸受け
３８  貫通孔部
３９  係止孔
４０  第一対向面（第一対向部）
４１  第二対向面（第二対向部）
４２  第三対向面
４３  第六対向面
４４  ＦＰＣ挟持部
４５  曲面
４６  押圧用凸部
４７  回転軸
４８  回転規制突起（突起）
４９  係止突起
【図１】
0003964124.tif 000002
【図２】
0003964124.tif 000003
【図３】
0003964124.tif 000004
【図４】
0003964124.tif 000005
【図５】
0003964124.tif 000006
【図６】
0003964124.tif 000007
【図７】
0003964124.tif 000008
【図８】
0003964124.tif 000009
【図９】
0003964124.tif 000010
【図１０】
0003964124.tif 000011